(57)【要約】【課題】より効果の高い尿飛散防止具を提供すること。【解決手段】尿飛散防止具は、外皮部分と、その内部に梱包された発泡剤と、を有し、前記発泡剤は、少なくとも、重曹とクエン酸を含んでおり、前記重曹と前記クエン酸の重量パーセント比が、重曹３０％〜５５％のそれぞれのパーセントに対応して、クエン酸が７０％〜４５％である。【選択図】  図１
2018091026.tif 000002
【特許請求の範囲】
【請求項１】
外皮部分と、
その内部に梱包された発泡剤と、を有し、
前記発泡剤は、少なくとも、重曹とクエン酸を含んでおり、
前記重曹と前記クエン酸の重量パーセント比が、
重曹３０％〜５５％のそれぞれのパーセントに対応して、
クエン酸が７０％〜４５％
である
尿飛散防止具。
【請求項２】
前記重曹と前記クエン酸の重量パーセント比が、
重曹４０％〜４５％のそれぞれのパーセントに対応して、
クエン酸が６０％〜５５％
である
請求項１に記載の尿飛散防止具。
【請求項３】
前記発泡剤は、さらに少なくとも、界面活性剤を含み
前記重曹に前記クエン酸の両者を加えたもの、前記界面活性剤の重量パーセント比が、
前記重曹に前記クエン酸の両者を加えたものの７５％〜９５％のそれぞれのパーセントに対応して、
界面活性剤が２５％〜５％
である
請求項１又は請求項２に記載の尿飛散防止具。
【請求項４】
前記重曹に前記クエン酸の両者を加えたもの、前記界面活性剤の重量パーセント比が、
前記重曹に前記クエン酸の両者を加えたものの８０％〜９０％のそれぞれのパーセントに対応して、
界面活性剤が２０％〜１０％
である
請求項３に記載の尿飛散防止具。
【請求項５】
前記発泡剤を前記外皮部分によって梱包した本体部には、
折り込み又は切断をするための脆弱部が設けられる
請求項１〜請求項４いずれか１項に記載の尿飛散防止具。
【発明の詳細な説明】
【技術分野】
【０００１】
本発明は、便器に尿をする際に、便器内の水面に衝突した尿が飛び跳ねることを防止する尿飛散防止具に関する。
【背景技術】
【０００２】
特許文献１には尿飛散防止具  の技術が開示されている。
【先行技術文献】
【特許文献】
【０００３】
【特許文献１】特開２０１５―５２２５７号公報
【発明の概要】
【発明が解決しようとする課題】
【０００４】
しかしながら、特許文献１に記載の方法においては、具体的な構造の記載がない。さらに、より適切な割合等についての記載がない。
【０００５】
本発明は、より効果の高い尿飛散防止具を提供することである。
【課題を解決するための手段】
【０００６】
本発明の尿飛散防止具は、外皮部分と、その内部に梱包された発泡剤と、を有し、前記発泡剤は、少なくとも、重曹とクエン酸を含んでおり、前記重曹と前記クエン酸の重量パーセント比が、重曹３０％〜５５％のそれぞれのパーセントに対応して、クエン酸が７０％〜４５％である。
【０００７】
好適には、前記重曹と前記クエン酸の重量パーセント比が、重曹４０％〜４５％のそれぞれのパーセントに対応して、クエン酸が６０％〜５５％である。
【０００８】
好適には、前記発泡剤は、さらに少なくとも、界面活性剤を含み、前記重曹に前記クエン酸の両者を加えたもの、前記界面活性剤の重量パーセント比が、前記重曹に前記クエン酸の両者を加えたものの７５％〜９５％のそれぞれのパーセントに対応して、界面活性剤が２５％〜５％である。
【０００９】
好適には、前記重曹に前記クエン酸の両者を加えたもの、前記界面活性剤の重量パーセント比が、前記重曹に前記クエン酸の両者を加えたものが８０％〜９０％のそれぞれのパーセントに対応して、界面活性剤が２０％〜１０％である。
【００１０】
好適には、前記発泡剤を前記外皮部分によって梱包した本体部には、折り込み又は切断をするための脆弱部が設けられる。
【発明の効果】
【００１１】
本発明における尿飛散防止具によってより効果の高い尿飛散防止具を提供することが可能となった。
【図面の簡単な説明】
【００１２】
【図１】本発明の第１の実施形態に係る、尿飛散防止具１の形状についての説明図である。。
【図２】発泡剤１０１として使用するのに最適な、化学物質の割合の実験結果である。
【図３】発泡剤１０１に加える界面活性剤の割合の実験結果である。
【発明を実施するための形態】
【００１３】
＜第１の実施形態＞
【００１４】
図１は、本発明の第１の実施形態に係る、尿飛散防止具１の形状についての説明図である。
【００１５】
尿飛散防止具１は、図１（ａ）のような形状をしている。
この形状は、スティックシュガーのような形状及び構造である。
尿飛散防止具１は、発泡剤１０１が含まれる本体部３と、発泡剤１０１が飛び出さないように設けられる端部２とを有する。
本体部３は、図１（ｃ）に断面が示されるように、円筒形状の外皮部分３ａを有している。そして、この円筒形状の内部空間に発泡剤１０１が充填されている。
また、外皮部分３ａは、オーバーラップ部分３ｃによって、巻始め部分と巻き終わり部分が結合されている。この結合によって、充填されている発泡剤１０１が外部に漏れだすことを防いでいる。
前述のように、本体部３の前後方向には、前端部２１及び後端部２２が配置されている。そして、これらによって発泡剤１０１が外部に漏れることを防いでいる。
具体的には、図１（ｂ）のように、外皮部分３ａのオーバーラップ部分３ｃに該当する端部オーバーラップ部分２１ｃ以外も、二つ折りにして表面側端部２１ｂと裏側端部２１ａを互いに内部で張り合わすことによって、発泡剤１０１が外部に漏れることを防いでいる。
【００１６】
外皮部分３ａは、水に溶ける水溶性の紙で形成することが望ましい。
しかも、水にできるだけ早く溶けることが望ましいことから、できるだけ薄い方が望ましい。もっとも、薄くしすぎると強度が低下し、尿飛散防止具１を持ち運ぶ際に、発泡剤１０１が飛び散る恐れがあることから、単に薄くすればよいというものでもない。
また、端部２もできるだけ前後方向の長さは短い方が好ましい。ただ、こちらは、溶け残ってもよいため、本体部３のようにシビアな条件とはならない。
【００１７】
尿飛散防止具１の使用方法について説明する。
使用者が尿をする場合に、当該製品を洋式便器内部に、まず、尿飛散防止具１を投入する。
そうすると、水溶性の外皮部分３ａはとけて、発泡剤１０１に直接水が触れることになる。
すると、発泡剤１０１は後述のような成分であることから、水と反応して、多くの泡を発生させる。
さらに、発泡剤１０１には、界面活性剤成分も含まれていることから、一度発生した泡は、長時間維持される。
そうすると、便器内に泡充満した状態で便器のふちに近い高さまで、到達し、それが維持される。
その状態で、使用者が放尿し、尿が水面に到達する。
その際に発生し、跳ね返ってくる飛散した尿及び水が、泡によって勢いを失うことになる。また、これによって、においも飛散することを防ぐことができる。
さらに、音の発生も抑制することが可能となる。
【００１８】
図２は、発泡剤１０１として使用するのに最適な、化学物質の割合の実験結果である。
【００１９】
発泡を行わせるためには、発明者は、重曹とクエン酸が最適であると考えている。
そのうち、特許文献１では、この２つを利用することを開示しているが、適切な分量については、記載がないため、分量を調節して実験を行った。
そして、泡の発生速度・量を、目測によって計測した。
なお、当該実験に用いた、発泡剤１０１の量は、重曹とクエン酸を合わせて２０ｇとした。
この発泡剤１０１は、図１で示す形状にして実験を行った。
なお、図２の実験及び図３の実験において、パーセント表記は重量パーセントである。
【００２０】
この実験からわかることは、重量パーセントで重曹が３０％〜５５％で、残りをクエン酸とした場合に、適切な泡が発生していることが分かる。
さらに、より好適には、重量パーセントで重曹が４０％〜４５％で、残りをクエン酸とした場合に、最適な泡が発生していることが分かる。
【００２１】
図３は、発泡剤１０１に加える界面活性剤の割合の実験結果である。
【００２２】
次に、この泡をさらに維持するために、添加することが適切である界面活性剤の分量について実験した。
この界面活性剤についても、特許文献１には記載があるが、適切な分量及び界面活性剤の種類について記載がない。
界面活性剤の分量の適切な分量について、実験を行った。その結果が、図３である。
重曹とクエン酸の量は、図２の実験の結果によって、最適であると判明した、重量パーセントで重曹が４０％〜４５％で残りをクエン酸とした場合の範囲内である、重曹３に対してクエン酸４の割合にしている（重曹：約４２．８５％、クエン酸：約５７．１５％）。
なお、現在、発明者は、重曹３に対してクエン酸４の割合が最適値であると考えている。
さらに、この割合にした発泡成分に界面活性剤を加えて、両者を加えた全体で２０ｇにして実験を行っている。
この発泡剤１０１は、図１で示す形状にして実験を行った。
使用した界面活性剤は、アニオン系界面活性剤を用いた。
なお、泡の持続時間については、目視によって確認した。
【００２３】
図３からは、界面活性剤は、重曹＋クエン酸の重量を７５％〜９５％とした場合に、残りを界面活性剤にしたときに、実用可能な程度に泡が持続されることが分かった。
さらに最適値は、重曹＋クエン酸の重量を８０％〜９０％とした場合に、残りを界面活性剤にしたときであることが分かった。
なお、最終的に、発明者は、重曹：クエン酸：界面活性剤＝３：４：１が最適な調合割合であると考え、最終製品はこの割合で製造することにしている。
つまり、発泡剤１０１は、重曹，クエン酸及び界面活性剤を含むものである。
【００２４】
この結果を受けて、重曹：クエン酸：界面活性剤＝３：４：１とし、界面活性剤をアニオン以外の両性界面活性剤及び非イオン界面活性剤にして、実験を行った。
いずれでも、同じような効果があったことが分かった（ほぼ、図３と同じ結果であったため、省略する）。
【００２５】
このような割合で調合された発泡剤１０１には、他に、香料・着色剤を含んでいてもよい。
また、尿飛散防止具１は、必ずしも外皮部分３ａごと入れる必要はなく、中身だけを入れるものであってもよい。
また、尿飛散防止具１を投入する際も、折ってから入れる、ちぎってから入れるという形式であるとより、発泡剤１０１が水と接触するため短時間で発砲するため適切である。
そのための、切込み、脆弱部、を本体部３の中央付近に一周するように形成することがより適切である。
単なる切込みであれば、一部に形成するだけでも可能である。
また、尿飛散防止具１の形状は、図１の様に、スティックシュガーの形式である必要はなく、例えば、２枚の水溶性の紙又はプラスチックの、外周部を密着して、その内部に発泡剤１０１を収納する形式であってもよい。
この際の形状は、正方形、長方形であってよい。
【符号の説明】
【００２６】
１      尿飛散防止具
２      端部
２１    前端部
２２    後端部
２１ｃ  端部オーバーラップ部分
２１ｂ  表面側端部２１ｂ
２１ａ  裏側端部２１ａ
１０１  発泡剤
３      本体部
３ａ    外皮部分
３ｃ    オーバーラップ部分
【図１】
2018091026.tif 000003
【図２】
2018091026.tif 000004
【図３】
2018091026.tif 000005